(57)【要約】      （修正有）【課題】様々なタイプの汚染物質を含むガス状流体が通過できるダクトを備えるフィルタリング組立体の提供。【解決手段】フィルタリング組立体は、有毒ガスおよび好ましくは５０μｍより大きい寸法を有する固体粒子のタイプの汚染物質を除去するためのフィルタリング・ステーションと、導電性フィラメント６に近接しそれに面する穴５を有する導電性グリル４において、前記グリル４と前記フィラメント６が電子を放出するために負の電位に保持され、前記電子が、好ましくは１０ｎｍ〜５０μｍの間の寸法を有する固体粒子および微生物タイプの汚染物質と対をなすことができ、さらに、前記電子と対をなす前記汚染物質を安定して収集するために正の電位に保持される蓄積プレート７が下流に配置される、導電性グリル４と、通過していく前記ガス状流体の電荷を回復するための、イオンＡの放出源とを備える。【選択図】図１
2015027663.tif 000002
【特許請求の範囲】
【請求項１】
様々な種類の汚染物質を含むガス状流体が通過できるダクト（２）を備える、空気および一般にガス状の流体のためのフィルタリング組立体であって、
有毒ガスおよび好ましくは５０μｍより大きい寸法を有する固体粒子のタイプの汚染物質を除去するための、少なくとも１つのフィルタリング・ステーションと、
少なくとも１つの導電性フィラメント（６）に近接しそれに面する少なくとも１つの穴（５）を有する少なくとも１つの導電性グリル（４）において、前記少なくとも１つのグリル（４）と前記少なくとも１つのフィラメント（６）が電子を放出するために負の電位に保持され、前記電子が、好ましくは１０ｎｍ〜５０μｍの間の寸法を有する固体粒子や微生物などの汚染物質と対をなすことができ、前記電子と対をなす前記汚染物質を安定して収集するために正の電位に保持される少なくとも１つの蓄積プレート（７）が下流に存在する、少なくとも１つの導電性グリル（４）と、
通過していく前記ガス状流体の電荷を回復するための、イオン（Ａ）の少なくとも１つの放出源とを備えることを特徴とする、フィルタリング組立体。
【請求項２】
前記フィルタリング・ステーションが、
好ましくは１５０μｍ〜２５０μｍの間の寸法を有する少なくとも１つの開口を備える少なくとも１つの多孔プレート（８）において、前記ガス状流体を自由に通過させ、前記少なくとも１つの開口の寸法よりも大きい寸法を有する固体粒子タイプの前記汚染物質を選択的にブロックするための少なくとも１つの多孔プレート（８）と、
有毒ガスタイプの前記汚染物質を吸着するための、少なくとも１つの活性炭フィルタ（９）と、
好ましくは５０μｍ〜２００μｍの間の寸法を有する固体粒子タイプの前記汚染物質を選択的にブロックするための、電気分極式繊維を含んだ少なくとも１つのフィルタ（１０）とを備えることを特徴とする、請求項１に記載のフィルタリング組立体。
【請求項３】
前記導電性グリル（４）が複数の穴（５）を有し、前記穴（５）の各々が複数の導電性フィラメント（６、６’）それぞれに近接しそれに面し、前記導電性フィラメント（６）のいくつかが前記穴（５）の各々の下流に配置され、それ以外の前記導電性フィラメント（６、６’）が前記穴（５）の各々の上流に配置されることを特徴とする、請求項１または２に記載のフィルタリング組立体。
【請求項４】
前記ダクト（２）の内部に電場を発生させて前記電子と対をなす前記汚染物質を前記蓄積プレート（７）の方に逸らすために、負の電位に保持され前記少なくとも１つの蓄積プレート（７）に面する少なくとも１つの偏向プレート（１１）を備えることを特徴とする、請求項１〜３のいずれか一項に記載のフィルタリング組立体。
【請求項５】
微生物などの汚染物質を不活性化するために、前記少なくとも１つの蓄積プレート（７）に面する少なくとも１つの殺菌ランプ（１２）を備えることを特徴とする、請求項１〜４のいずれか一項に記載のフィルタリング組立体。
【請求項６】
前記汚染物質を含む前記ガス状流体を複数の入口（１５）を介して外部から吸引するための、かつ、前記ガス状流体を送出出口（１６）の方に強制輸送するための、かつ、前記汚染物質を除去し所望の電荷を回復した後に前記ガス状流体を外部に放出するための、前記ダクト（２）の内部に配置されたガス状流体の輸送装置（１４）を備えることを特徴とする、請求項１〜５のいずれか一項に記載のフィルタリング組立体。
【請求項７】
前記フィルタリング・ステーションが複数の前記多孔プレート（８）を備え、前記複数の多孔プレート（８）が、ガス状流体の輸送装置の前記入口（１５）のそれぞれに面するように配置され、前記入口（１５）に対して反対側に、前記活性炭フィルタ（９）のそれぞれが前記多孔プレート（８）の各々に固定され、有毒ガスタイプの汚染物質を最適に吸着するために、対応する触媒活性剤を備えることを特徴とする、請求項１〜６のいずれか一項に記載のフィルタリング組立体。
【請求項８】
電気分極式繊維を有する各前記フィルタ（１０）が、前記繊維からなる布でほぼ構成され、前記多孔プレート（８）に対して反対側の各前記活性炭フィルタ（９）に適用されることを特徴とする、請求項１〜７のいずれか一項に記載のフィルタリング組立体。
【請求項９】
空気および一般にガス状の流体のためのフィルタリング方法であって、
ａ．少なくとも１つの導電性グリル（４）と少なくとも１つの導電性フィラメント（６）から放出された電子の流れによって、様々なタイプの汚染物質を含むガス状流体に影響を及ぼす工程であって、前記少なくとも１つの導電性グリル（４）が前記ダクト（２）に沿って配置され、少なくとも１つの穴（５）を有し、前記少なくとも１つの導電性フィラメント（６）が前記少なくとも１つの穴（５）に近接しそれに面し、前記グリル（４）と前記少なくとも１つのフィラメント（６）が、好ましくは１０ｎｍ〜５０μｍの間の寸法を有する固体粒子および微生物のタイプの汚染物質と前記電子とで対を形成させるために負の電位に保持されている、
ｂ．少なくとも１つの蓄積プレート（７）上に前記電子と対をなす前記汚染物質を安定して収集する工程であって、前記蓄積プレート（７）が正の電位に保持され、前記ダクト（２）に沿って前記少なくとも１つのグリル（４）の下流に配置されている、
ｃ．少なくとも１つのイオン放出源（Ａ）によって前記ガス状流体の前記電荷を回復する工程であって、前記イオン放出源（Ａ）が、前記ダクト（２）に沿って前記グリル（４）と前記少なくとも１つの蓄積プレート（７）の下流に配置されている、
ｄ．上述の前記工程ａ，ｂおよびｃに対して予防の、後の、中間の工程で、前記ガス状流体が通過できるダクト（２）に沿って配置された少なくとも１つのフィルタリング・ステーションで、有毒ガスおよび好ましくは５０μｍより大きい寸法を有する固体粒子のタイプの汚染物質を、前記ガス状流体から除去する工程と、を有する方法。
【請求項１０】
前記フィルタリング・ステーションが、
好ましくは１５０μｍ〜２５０μｍの間の寸法を有する少なくとも１つの開口を備える少なくとも１つの多孔プレート（８）において、前記ガス状流体を自由に通過させ、前記少なくとも１つの開口の寸法よりも大きい寸法を有する固体粒子タイプの前記汚染物質を選択的にブロックするための少なくとも１つの多孔プレート（８）と、
有毒ガスタイプの前記汚染物質を吸着するための、少なくとも１つの活性炭フィルタ（９）と、
好ましくは５０μｍ〜２００μｍの間の寸法を有する固体粒子タイプの前記汚染物質を選択的にブロックするための、電気分極式繊維を含んだ少なくとも１つのフィルタ（１０）とを備えることを特徴とする、請求項９に記載のフィルタリング方法。
【発明の詳細な説明】
【技術分野】
【０００１】
本発明は、空気および一般にガス状の流体のためのフィルタリング組立体およびフィルタリング方法に関する。
【背景技術】
【０００２】
周知のように、人が働く閉ざされた環境での健康と衛生の状況に対する注目は常に高い。閉ざされた環境とは、汚染物質、病原体、微生物などが全く存在しないことがその中で行われる活動の性質上基本的な義務である建物（病院、診療所、養護施設、保健施設など）のための環境、より一般的には、公私いずれにせよ１人もしくは複数の人が長期間であれ短期間であれ滞在する可能性が高い任意の場所のための環境である。
【０００３】
さらに、閉鎖環境の内部に吸い込まれる空気に、人に対して潜在的に危険な様々なタイプの汚染物質が含まれているか観察することは妥当である。実際、様々なサイズ（２、３ミクロンから数ナノメートルまで）の埃および粒子に加えて、例えば、空気中で種々の性質の有毒ガスまたは微生物（ウイルス、細菌、胞子、カビ、菌類など）を発見することが可能である。さらに、時には負イオンの欠乏が検出され、このことにより一種の「電気」汚染が事実上確定される。この負イオンの欠乏は、衛生および健康の最適な条件を確保するために中和されなければならない。
【０００４】
通常採用されている予防措置または改善策は通常、選択的作用フィルタ（すなわち特定の種類の望ましくない物質を対象としたフィルタ）で構成される（そしてしばしば、微粒子対策フィルタの場合と同様に、上記フィルタはより微細な大きさの粒子に対して無効であることが判明している）。
【０００５】
したがって、高いコストおよび／または物流問題が原因で、しばしば、その適用の大部分が不経済である（したがって使用できない）ことが判明している複雑なインフラ、および設置が困難な設備を採用しない限り、逆にますます厳しくなる衛生要件で要求される様々なタイプの汚染物質全てを確実にフィルタリング／排除することは不可能でないにせよ、困難であることは明らかなようである。
【発明の概要】
【発明が解決しようとする課題】
【０００６】
本発明の主な目的は、様々なタイプの汚染物質に対して効果的であると判明している、空気および一般にガス状の流体のためのフィルタリング組立体を提供することによって上記の問題を解決することである。
【０００７】
この目的の範囲内で、本発明の目的は、様々なタイプの汚染物質に対する空気および一般にガス状の流体のフィルタリングを可能にする方法を提案することである。
【０００８】
本発明の他の目的は、それが設置された環境で働く人に、心身の健康を確保するフィルタリング組立体を提供することである。
【０００９】
本発明の他の目的は、定期的な保守の介入をあまり必要とせずに、効果的なフィルタリングを確保する組立体を提供することである。
【００１０】
本発明の他の目的は、同時に負イオンの含有量のバランスを再調整することによって、任意のサイズの微粒子、微生物、有毒ガスに対して効果的な空気フィルタリングを確保する組立体を提供することである。
【００１１】
本発明の他の目的は、高い動作信頼性を確保する、確実な実装の組立体を提供することである。
【００１２】
最後に述べるが決して軽んずべきでない本発明の目的は、一般に商業的に入手可能な部品および材料から、広く市販され得る低コストの組立体を提供することである。
【００１３】
本発明の他の目的は、コストを抑えて簡単な形で実現可能な方法を提案することである。
【課題を解決するための手段】
【００１４】
上記の課題および目的は、様々なタイプの汚染物質を含むガス状流体が通過できるダクトを備える、空気および一般にガス状の流体のためのフィルタリング組立体によって達成される。上記フィルタリング組立体は、有毒ガスおよび好ましくは５０μｍより大きい寸法を有する固体粒子のタイプの汚染物質を除去するための、少なくとも１つのフィルタリング・ステーションと、少なくとも１つの導電性フィラメントに近接しそれに面する少なくとも１つの穴を有する少なくとも１つの導電性グリルにおいて、上記少なくとも１つのグリルと上記少なくとも１つのフィラメントが電子を放出するために負の電位に保持され、上記電子が、好ましくは１０ｎｍ〜５０μｍの間の寸法を有する固体粒子や微生物などの汚染物質と対をなすことができ、上記電子と対をなす上記汚染物質を安定して収集するために正の電位に保持される少なくとも１つの蓄積プレートが下流に存在する、少なくとも１つの導電性グリルと、通過していく上記ガス状流体の電荷を回復するための、イオンの少なくとも１つの放出源とを備えることを特徴とする。
【００１５】
上記の課題および目的はまた、空気および一般にガス状の流体のためのフィルタリング方法によって達成され、上記フィルタリング方法は、少なくとも１つの導電性グリルと少なくとも１つの導電性フィラメントから放出された電子の流れによって、様々なタイプの汚染物質を含むガス状流体に影響を及ぼす工程であって、上記少なくとも１つの導電性グリルが上記ダクトに沿って配置され、少なくとも１つの穴を有し、上記少なくとも１つの導電性フィラメントが上記少なくとも１つの穴に近接しそれに面し、上記グリルと上記少なくとも１つのフィラメントが、好ましくは１０ｎｍ〜５０μｍの間の寸法を有する固体粒子および微生物のタイプの汚染物質と上記電子とで対を形成させるために負の電位に保持され、少なくとも１つの蓄積プレート上に上記電子と対をなす上記汚染物質を安定して収集する工程であって、上記蓄積プレートが正の電位に保持され、上記ダクトに沿って上記少なくとも１つのグリルの下流に配置され、少なくとも１つのイオン放出源によって上記ガス状流体の上記電荷を回復する工程であって、上記イオン放出源が、上記ダクトに沿って上記グリルと上記少なくとも１つの蓄積プレートの下流に配置され、上述の各工程に対して予防の、または後の、または中間の工程で、上記ガス状流体が通過できるダクトに沿って配置された少なくとも１つのフィルタリング・ステーションで、有毒ガスおよび好ましくは５０μｍより大きい寸法を有する固体粒子のタイプの汚染物質を、上記ガス状流体から除去する工程とからなる。
【００１６】
本発明の他の特徴および利点は、本発明による組立体（および方法）の２つの好ましい実施形態の説明から明らかになるが、これに限定するものではなく、添付の図面に非限定的な例として示される。
【図面の簡単な説明】
【００１７】
【図１】本発明によるフィルタリング組立体の部分断面側面図である。
【図２】第１の実施形態の導電性グリルの斜視図である。
【図３】第２の実施形態の導電性グリルの斜視図である。
【発明を実施するための形態】
【００１８】
引用された図面を特に参照すると、様々なタイプの汚染物質（以下のページで詳細に説明する）を含む空気、より一般的には任意のガス状流体のフィルタリングを担当する組立体が、全体を参照番号１で示されている。
【００１９】
ここからは、好ましい実施形態によると、扱うガス状流体は空気であり、したがって本明細書の説明ではこれ以降その空気について言及することを明記しておく。実際、この好ましい実施形態では、組立体１は、空調、通風、換気、暖房等の任意の設備の配管に配置することができ、その配置はしたがって、配管を流れる空気が閉鎖環境（病院、診療所、養護施設、保健施設などだが、職場、公共の建物、民間の建物、住宅なども）に放出される前に、その配管を流れる空気のフィルタリングと汚染除去を行い得る。その一方で、関係する環境から汚染された空気を取り出し、フィルタリング処理後にそれを戻すために、組立体１はその環境に近接して単純に配置することもできる。
【００２０】
尚、特定のニーズに応じて様々なガス状流体をフィルタリングするための組立体１の使用が除外されることはない（いずれにせよ、本明細書に記載の保護範囲に含まれる）。
【００２１】
例えば、組立体１は、排気ガス、煙等の出力回路に沿って、外部環境へのその放出前に効果的に使用することができる。
【００２２】
いずれの場合も、組立体１はダクト２を備え、ダクト２は、ガス状流体が通過でき、例えば成形シェル３で画成される（閉鎖環境に通じる配管に沿って、または上述の出力回路に沿って配置可能）。
【００２３】
本発明によると、組立体１は、電荷を回復するために、少なくとも１つのフィルタリング・ステーションと、少なくとも１つの導電性フィラメント６に近接しそれに面する少なくとも１つの穴５を有する少なくとも１つの導電性グリル４と、グリル４の下流に位置する少なくとも１つの蓄積プレート７と、イオンＡ（本明細書に記載される好ましい実施形態では負であり、これは非限定的な目的で示す）の少なくとも１つの放出源とを備える。ダクト２からの出力前（フィルタリング処理の終了時）に、その放出源を通過していくガス状流体に上記の電荷が与えられることが望まれる。
【００２４】
好ましい実施形態では、上記で導入した要素（ステーション、グリル４および蓄積プレート７、放出源）が、ダクト２に沿って、前の段落で列挙した（また図１に示されている）順序と同じ順序で直列に配置されることを指摘しなければならないが、そのために、本明細書に記載の保護の範囲から逸脱することなく上記の要素が異なって順序付けされ配置される組立体１を提供する可能性を除外するものではない。
【００２５】
したがって、上記のフィルタリング・ステーションによって、有毒ガスおよび好ましくは５０μｍより大きい寸法を有する固体粒子のタイプの汚染物質を除去することが可能である（以下の頁で詳細に説明する）。
【００２６】
さらに、グリル４およびフィラメント６は、電子を周囲の環境へと放出するように負の電位に保持される（その値は、さらに時間的に可変で、さらにグリル４とフィラメント６とに差があり、特定のニーズに応じて任意に選択することができる）。空気によって運ばれる好ましくは１０ｎｍ〜５０μｍの間の寸法を有するタイプの固体粒子および微生物からなる汚染物質と、上記電子は、例えば静電引力により、対になることができる。
【００２７】
より正確には、実際には、導電性フィラメント６が電子の好ましい放出源を構成する。放出源は、空気の少なくとも一部分（実際には穴５を通過する空気）の通過領域に配置され、その配置は、放出源のフィラメント６が担っている、非常に多数の汚染物質との最適な対形成を確保するようになっている。
【００２８】
したがって、蓄積プレート７により安定して収集するために、かかる汚染物質に負電荷が付与される。蓄積プレート７は、この目的のために正の電位に保持され、グリル４の下流に配置される。
【００２９】
蓄積プレート７は、予想される保守のために、定期的に容易に取り外し得ることを指摘しなければならない。
【００３０】
特定のニーズに応じて、様々な構成（さらに、絶縁材料層を介在させて２つずつ向かい合った構成）に従ってダクト２内に配置された任意の数の蓄積プレート７からなる組立体１を装備する可能性があることも明記しておく。例えば、添付の図に、ダクト２に沿って平行に配置された蓄積プレート７の使用を採用することを想定した実施形態が提案されている。
【００３１】
組立体１が、穴５に近接しそれに面する、グリル４の下流に配置された、負の電位に保持される少なくとも第１の導電性フィラメント６と、開口８に近接しそれに面する、グリル４の上流に配置された、負の電位に保持される少なくとも第２の導電性フィラメント６’とを備える可能性があることを明記しておく。したがって、少なくとも１つのフィラメント６がグリル４の下流のみ（または上流のみ）に配置される実施例と、少なくとも１つのフィラメント６’がそのグリル４に対して上流に配置され、少なくとも１つのフィラメント６が下流に配置される実施例（好ましい）とが本明細書に記載される保護の範囲内に入る。
【００３２】
明らかに、導電性フィラメント６のそれぞれが面している複数の穴５をグリル４が含んでいる可能性は排除されない。より具体的には、本発明の例示的かつ非限定的な応用例として添付の図面に示されている好ましい実施形態では、導電性グリル４が複数の穴５を有し、各穴が複数の導電性フィラメント６、６’それぞれに近接しそれに面し、そのフィラメントのいくつかは各穴５の下流に配置され、他のものは各穴５の上流に配置されている（これは図１から分かる。一方図２には、簡略化のために、単一の穴５に近接したフィラメント６が示されている）。
【００３３】
このように、ダクト２を通る空気の全量は、グリル４の穴５のうちの１つを通過させられ、したがってすぐ近傍で非常に多数の電子を放出するフィラメント６、６’を越えて流れていく。したがって、本発明による組立体１により、電子の放出が最大となる領域を空気が通るようにされるため大きな効果が確保され、したがって固体粒子（上述の寸法を有する）からなる非常に多数の汚染物質と電子とを確実に対を形成させることができる。
【００３４】
上述のフィルタリング・ステーションは、少なくとも１つの多孔プレート８と、少なくとも１つの活性炭フィルタ９と、少なくとも１つの電気分極式繊維フィルタ１０を備えることができ、少なくとも１つの多孔プレート８は少なくとも１つの開口を備え、この開口は好ましくは１５０μｍ〜２５０μｍの間の寸法（例えば２００μｍ）を有する。
【００３５】
このように、空気は、シェル３に入り、ダクト２内で多孔プレート８の開口を自在に通過する。逆に、その多孔プレート８の開口で、その寸法より大きい寸法を有する固体粒子タイプの汚染物質は選択的にロックされる。
【００３６】
その後、活性炭フィルタ９の作用により、組立体１で処理される空気をもたらす環境中に存在している、有毒ガスタイプの汚染物質を、吸着することが可能になる。
【００３７】
この目的のために、組立体１が随時目標とする特定の用途にとって重要な対象となる１つまたは複数の有毒ガス（ラドン、ホルムアルデヒドなど）に対して選択的に有効な活性炭フィルタ９を作成するのに適した添加剤を、特別に設計された組成物に加える可能性があることを明記しておく。
【００３８】
したがって上記から分かるように、活性炭フィルタ９の下流に、少なくとも１つの電気分極式繊維フィルタ１０が配置される。電気分極式繊維フィルタ１０は、実質的に知られている方法に従って、好ましくは５０μｍ〜２００μｍの間の寸法（したがって、多孔プレート８がロックする寸法よりも小さい寸法）を有する固体粒子タイプの汚染物質の選択的ロックを行うことができる。
【００３９】
さらに、上流の多孔プレート８で大きな寸法の固体粒子の保持を積極的に選択することは、場合によっては起こり得るフィルタリング・メッシュの目詰まりが原因でロックされた汚染物質が放出され得る危険を防止し、したがって適切なフィルタリングに影響を及ぼす。
【００４０】
上記から分かるように、活性炭フィルタ９の下流では、空気が通過することによって、数ナノメートルまでのより細かい寸法の粒子が効果的に除去され得る。これは、グリル４とフィラメント６と蓄積プレート７の連係動作のおかげである。
【００４１】
したがって、空気はダクト２に沿って通過する間に徐々に精製され、有毒ガスも、さらに任意のサイズとタイプの固体汚染粒子（微生物、粉塵、微粒子であっても、放射性であっても）も空気から取り除かれ、したがってその空気の完全な浄化が実現する。
【００４２】
本発明の好ましい実施形態では、多孔プレート８、活性炭フィルタ９および電気分極式繊維フィルタ１０が、上記に示されている順序で（図１にさらに示されている順序で）ダクト２に沿って直列に配置されるが、これらの構成部品が特定の要件に応じて異なる順序でフィルタリング・ステーションに配置される組立体１を作ることは除外されず、いずれにせよ本明細書に記載の保護範囲に含まれることに注目することが有用である。
【００４３】
やはり図１から明らかなように、組立体１は少なくとも１つの偏向プレート１１を備え、偏向プレート１１は、電子と対をなす汚染物質をその蓄積プレート７の方に偏向させるための電場をダクト２内部に生成するために、負の電位（フィラメント６および／またはグリル４が保持される電位とおそらくは等しい）に保持され、蓄積プレート７に面する。この偏向は、蓄積プレート７上への汚染物質の安定した収集（接着による）を容易にすることが好ましい。
【００４４】
また、ダクト２内部に位置する偏向プレート１１の数は、本明細書に記載の保護の範囲から逸脱することなく、随意に選択することができる（その構成と同様）。図１に可能な実施形態が示されており、その実施形態は、隣接する蓄積プレート７の各対の間に挟まれた複数の偏向プレート１１を想定している。
【００４５】
本発明による組立体１は、微生物タイプの汚染物質を不活性化するために、蓄積プレート７に面した１つまたは複数の殺菌ランプ１２を備えることが好ましい。具体的には、可能な実施形態によると、各殺菌ランプ１２は、フィラメント６から放出された電子と対をなす微生物が収集される蓄積プレート７を、絶えず照射できる低出力の紫外線ランプのタイプのものである（オゾンの放出なし）。
【００４６】
組立体１はアドレッシング器官を備えることが好ましい。アドレッシング器官は穴５の近傍に配置され、フィラメント６の電位に対して異なる電位（例えば接地電位に等しい）に保持される。この配置／保持は、フィラメント６から放出された電子を、そのフィラメントの器官の方に正確に導く事前に定義された軌道に押しやるように行われ、したがって例えば、特定の要件に応じて、最良の状態で汚染物質との対形成を促進できるとみなされる条件下で空気の流れを捉えるように行われる。
【００４７】
より具体的には、アドレッシング器官は、グリル４に適用できる被覆用金属膜（例えば銅製）から構成することができる。あるいは、上記器官は、グリル４の近傍に平行に配置された金属メッシュで構成してもよく、これによりフィラメント６（およびそれらのグリル４）から放出された電子を、金属メッシュの方に引き付けることができる。
【００４８】
さらに、第３の実施形態では（単なる例として図３に示し、限定的なものではない）、アドレッシング器官は、円筒形の隆起したフレームトップ１３の被膜層からなり、フレームトップ１３は、穴５の縁部から、フィラメント６の長さよりも長く軸方向に延びる。
【００４９】
したがって、特定の用途のニーズに応じて、他のものと同様におそらくは採用可能な様々な提案の実施形態により、電子の放出方向の変更が可能になる。
【００５０】
組立体１は、ダクト２の内部に位置するガス状流体の輸送装置１４（例えばファン）を備えることが好ましい。これにより、ファンは、組立体１での処理が望まれる汚染物質を含むガス状流体を、複数の入口１５を介して外部から吸い込み、汚染物質を除去し所望の電荷を回復した後に外部へ放出する出口１６の方へ、そのガス状流体の強制輸送を決定づけることができる。
【００５１】
本発明の好ましい実施形態の非限定的な用途では、フィルタリング・ステーションが複数の多孔プレート８を備え、多孔プレート８は各入口１５に面するように配置される。さらに、各多孔プレート８の、入口１５に対して反対側に、各活性炭フィルタ９が固定される。
【００５２】
これらの活性炭フィルタ９は、有毒ガスタイプの汚染物質を最適に吸着するために、対応する触媒活性剤を有用な形で有することができる（活性炭の細孔の分子間引力による吸着だけでは最良の状態で有毒ガスを除去できないおそれを回避する）。
【００５３】
さらに、有利なことに、好ましい実施形態をさらに参照すると（これに限定するものではない）、各活性炭フィルタ９上に、多孔プレート８に対して反対側から、電気分極式繊維を有するフィルタ１０がそれぞれ適用される。フィルタ１０は、電気分極式繊維からなる布でほぼ構成される。
【００５４】
空気およびガス状流体のためのフィルタリング方法は一般に、第１の工程ａ．で、様々なタイプの汚染物質を含むガス状流体を電子の流れで捉えるものである。この電子は、ダクト２に沿って配置され、少なくとも１つの穴５を有する導電性グリル４と、穴５に近接しそれに面する少なくとも１つの導電性フィラメント６の両方から放出される。
【００５５】
グリル４とフィラメント６の両方が、対形成を実現するために負の電位に保持される。この対形成は例えば、好ましくは１０ｎｍ〜５０μｍの間の寸法を有する固体粒子および微生物のタイプの汚染物質と、電子（フィラメント６はその放出のための専用供給源となる）の静電引力によって行われる。
【００５６】
その後、電子と対をなす汚染物質は、工程ｂ．で、蓄積プレート７上に収集することができる。蓄積プレート７は、この目的のために正の電位に保持され、グリル４の下流にダクト２に沿って配置される。
【００５７】
さらに、本発明による方法は、工程ｃ．で、ダクト２に沿ってグリル４および蓄積プレート７の下流に配置されたイオンＡの放出源によって、ガス状流体（空気でも他のものでも）の電荷を回復することを想定する。
【００５８】
最初に（好ましい実施形態と同様）、または上記に列挙した工程ａ．、ｂ．、ｃ．の後に、さらにはこれらの工程の中間で、本発明による方法はやはり、工程ｄ．において、そのガス状流体が通過できるダクト２に沿って配置された、少なくとも１つのフィルタリング・ステーションで、ガス状流体（好ましい実施形態による空気でも他のものでも）から、有毒ガスおよび好ましくは５０μｍより大きい寸法を有する固体粒子のタイプの汚染物質を除去することを想定する。
【００５９】
より具体的には、上記から分かるように、本発明による方法の除去工程ｄ．の実行を可能にするフィルタリング・ステーションは、好ましくは１５０μｍ〜２５０μｍの間の寸法を有する少なくとも１つの開口を備える少なくとも１つの多孔プレート８と、有毒ガスタイプの汚染物質を吸着するための少なくとも１つの活性炭フィルタ９と、好ましくは５０μｍ〜２００μｍの間の寸法を有する固体粒子タイプの汚染物質を選択的にロックするための少なくとも１つの電気分極式繊維フィルタ１０とを備える（順序は任意。ただしダクト２に沿って直列にここで提案する順序で配置されると好ましい）。
【００６０】
多孔プレート８は、ガス状流体の自由な通過を可能にするが、上記の開口のものより大きな寸法を有する固体粒子タイプの汚染物質を選択的にロックする。
【００６１】
したがって、本発明による組立体１（および本発明による方法）が、処理される空気が含む様々なタイプの汚染物質（任意の寸法の微粒子、微生物、有毒ガス）の効果的かつ最適な除去を確保するように（同時に負イオンの含有量のバランスを再調整することによって）適切な順序で複数のフィルタリング動作を実行することを可能にし、設置された環境で働く人の心身の健康状態を確保することは明らかである。
【００６２】
実際に、最初の事前フィルタリング工程が、まず、空気（ダクト２を通る、ファンによる強制）からより大きな寸法の固体粒子を除去する。その後、活性炭フィルタ９のおかげで有毒ガスさえも除去した後、電気分極式繊維フィルタ１０が、好ましくは５０μｍ〜２００μｍの間の寸法を有する固体粒子タイプの汚染物質を選択的にロックする。
【００６３】
その後、空気は、グリル４の穴５を通過し、したがってフィラメント６を越えて流れていく。したがってより細かい寸法の固体粒子（微粒子、微生物または他のものでありうる）が、フィラメント６によりグリル４から放出された電子と対形成し、したがって（偏向プレート１１の働きにより）蓄積プレート７の方に向けられる。
【００６４】
したがって組立体１は、固体粒子（存在するはずのあらゆるタイプのもの）に対する様々なフィルタリング処理を実行することができ、この、徐々に減少する寸法を有する汚染物質のための各フィルタリング処理により、上記粒子の完全な除去（またはいずれにせよ、それらの大部分の除去）が実現される。さらに、活性炭フィルタ９のおかげで有毒ガスが確実に除去される。
【００６５】
微生物タイプ（存在する可能性のあるあらゆるタイプ）の汚染物質に関して、これらは蓄積プレート７上に収集され（空気から除去され）た後、殺菌ランプ１２のおかげで恒久的に不活性にできることが確認されている。紫外線殺菌は、微生物のＤＮＡに直接作用して、その微生物を不活性化することを可能にする。また、微生物がすでに空気から除去されたところに、ランプ１２（さらに蓄積プレート７の近傍に配置され、それらは蓄積プレート７に面している）の作用が生じるからこそ、照射を絶えず時間の制約なしに行うことができるので、上記から分かるように低出力のランプ１２を選択することが可能になり、したがって消費が制限される。
【００６６】
グリル４および蓄積プレート７の下流では、上記から分かるように、イオンＡの放出源（例えば電離チップタイプのものであり、ダクト２を通過し、出口１６の方に向かい、さらにはそこから出る空気の流れと同様に方向付けられる）の存在により、電荷のバランスを再調整するために、負イオンＡの存在が十分に確保される。さらに、この放出源はそれまで汚染されていない空気に作用するので、高電圧電源の印加は必要とならず、したがって有害なオゾンが生成される余地がない。
【００６７】
上記放出源は特定の適用要件に応じてイオンＡの放出を、ダクト２の内部、蓄積プレート７の下流および／またはダクト２の外部、出力１６（図１の例と同様）で行うことができることを明記しておく。
【００６８】
本発明による組立体１によって（および方法によって）確保される効果的フィルタリングは、複雑なインフラの設置を必要とせず、定期的な保守の介入をあまり必要とせずに、実用的かつ簡単な方法で実現されることも明らかなようである。
【００６９】
ダクト２を通過した後環境中に放出された空気により、副次的な悪影響を伴うことなく、（上記から分かるように）保守を行わなくても、持続的な身体的健康の確保（これは、放出された空気によって清浄な空気の呼吸が可能になるからこそである）に加え、嗅覚の点からも快適な感覚が人に確保される。
【００７０】
実際には、本発明による組立体および方法は、意図された課題を完全に達成することが判明している。というのは、少なくとも１つのフィルタリング・ステーションと、少なくとも１つの導電性フィラメントに近接しそれに面する少なくとも１つの穴を有する少なくとも１つの導電性グリルと、グリルの下流に位置する少なくとも１つの蓄積プレートと、少なくとも１つのイオン放出源を使用することにより、空気および一般にガス状の流体のフィルタリング組立体を作ることが可能になり、それが結果的に、様々なタイプの汚染物質に対して効果的となるからである。
【００７１】
例えば、実験的試験により、本発明による組立体１を使用すること（または本発明による方法の実施）によって、人々に不快感を与えることなく、環境中の能動発生源がわずか４時間で最大６メートルの距離まで延びる処理済み空気の層流を実現した状態で、９０％より大きい総細菌負荷の低減と、毎時およそ１５回の総換気回数と等価なガス状の化学汚染物質（有毒ガス）の低減と、超微細粒度の（寸法が１０ｎｍ〜１００ｎｍの間の）微粒子の低減を、アスペルギルスの胞子濃度のリセットに加えて実現することが可能であることが示された。
【００７２】
このように考案された本発明は、本発明の概念の範囲内で多数の変更および変形が可能であり、さらに、全ての細部は、他の技術的に等価な要素に置き換えることができる。
【００７３】
例えば、いずれにせよ本明細書に記載の保護範囲内に含まれる、様々な構成を採用する可能性は除外されないが、各フィラメント６は金属材料製で、多極タイプのものであると好ましい。さらに、各フィラメント６は、電子の最適な放出と分散を確保するために、グリル４の、各穴５を横切る直径方向のリブ１７に固定式に取り付けられた第１の端部と、その反対側に、グリル４から隔置された、好ましくは楔形の第２の自由端を有する。
【００７４】
例示した実施形態の例において、特定の例に関して与えられた個々の特徴は実際、他の実施形態の例に存在する他の様々な特徴と交換することができる。
【００７５】
実際には、使用材料および寸法は、要件および現況技術に応じて任意のものにすることができる。
【図１】
2015027663.tif 000003
【図２】
2015027663.tif 000004
【図３】
2015027663.tif 000005
【外国語明細書】
2015027663000001.pdf